(57)【要約】  立体映像を視聴するように眼鏡に装着する立体映像視聴装置は、右目用及び左目用の一対の光シャッター、一対の光シャッターの駆動回路、一対の光シャッターの駆動用電源装置、一対の光シャッターをそれぞれの内側端部で支持するブリッジ、当該立体映像視聴装置を眼鏡に着脱自在に繋止する繋止部、並びに駆動回路及び電源装置を支持する支持部、を備えている。電源装置は、二次電池を含む。繋止部及び支持部は、ブリッジと一体的に形成されている。立体映像視聴装置の重心はブリッジに位置している。
2012020537.tif 000002
【特許請求の範囲】
【請求項１】
立体映像を視聴するように眼鏡に装着する立体映像視聴装置であって、
右目用及び左目用の一対の光シャッター、前記一対の光シャッターの駆動回路、前記一対の光シャッターの駆動用電源装置、前記一対の光シャッターをそれぞれの内側端部で支持するブリッジ、当該立体映像視聴装置を前記眼鏡に着脱自在に繋止する繋止部、並びに前記駆動回路及び前記電源装置を支持する支持部、を備え、
前記電源装置が、二次電池を含み、
前記繋止部及び前記支持部が、前記ブリッジと一体的に形成されている、立体映像視聴装置。
【請求項２】
当該視聴装置の重心が、ブリッジの重心を通り、かつ一対の光シャッターのそれぞれの重心を結ぶ線分に垂直な平面から１０ｍｍ以内に位置するように、駆動回路、電源装置及び支持部が配設されている、請求項１記載の立体映像視聴装置。
【請求項３】
前記二次電池の形状が円筒状または角筒状であって、その径または幅が２〜６ｍｍである、請求項１または２記載の立体映像視聴装置。
【請求項４】
前記一対の光シャッターを、前記ブリッジに対して着脱可能にする着脱機構を備える、請求項１〜３のいずれか１項に記載の立体映像視聴装置。
【請求項５】
前記着脱機構が、前記ブリッジへの、前記一対の光シャッターの取り付け位置を上下方向において可変にするように構成されている、請求項４記載の立体映像視聴装置。
【請求項６】
前記着脱機構が、
前記一対の光シャッターのそれぞれの内側端部に設けられた突起と、
前記ブリッジに設けられ、前記突起と嵌合及び離脱が可能なように形成された一対の凹部と、
前記突起に設けられ、前記一対の光シャッターと接続された第１コネクタと、
前記凹部に設けられ、前記駆動回路と接続された第２コネクタと、を有し、
前記突起がそれぞれ前記一対の凹部と嵌合したときに、前記第１コネクタと前記第２コネクタとが結合されて、前記一対の光シャッターと前記駆動回路とが互いに接続される、請求項４または５記載の立体映像視聴装置。
【請求項７】
前記着脱機構が、
前記一対の光シャッターのそれぞれの内側端部に設けられた凹部と、
前記ブリッジに設けられ、前記凹部と嵌合及び離脱が可能なように形成された一対の突起と、
前記凹部に設けられ、前記一対の光シャッターと接続された第１コネクタと、
前記突起に設けられ、前記駆動回路と接続された第２コネクタと、を有し、
前記凹部がそれぞれ前記一対の突起と嵌合したときに、前記第１コネクタと前記第２コネクタとが結合されて、前記一対の光シャッターと前記駆動回路とが互いに接続される、請求項４または５記載の立体映像視聴装置。
【請求項８】
前記着脱機構が、
前記一対の光シャッターのそれぞれの内側端部に設けられた、上下方向の位置が互いに異なる、同一形状の複数の突起と、
前記ブリッジに設けられ、前記突起と嵌合及び離脱が可能なように形成された一対の凹部と、
前記複数の突起のそれぞれに設けられ、前記一対の光シャッターとそれぞれ接続された第１コネクタと、
前記凹部に設けられ、前記駆動回路と接続された第２コネクタと、を有し、
前記一対の凹部の一方は、前記一対の光シャッターの一方に設けられた前記複数の突起の１つと嵌合され、
前記一対の凹部の他方は、前記一対の光シャッターの他方に設けられた前記複数の突起の１つと嵌合され、
前記突起が前記凹部と嵌合したときに、前記第１コネクタと前記第２コネクタとが結合されて、前記一対の光シャッターと前記駆動回路とが互いに接続される、請求項５記載の立体映像視聴装置。
【請求項９】
前記着脱機構が、
前記一対の光シャッターのそれぞれの内側端部に設けられた、上下方向の位置が互いに異なる、同一形状の複数の凹部と、
前記ブリッジに設けられ、前記凹部と嵌合及び離脱が可能なように形成された一対の突起と、
前記複数の凹部のそれぞれに設けられ、前記一対の光シャッターとそれぞれ接続された第１コネクタと、
前記突起に設けられ、前記駆動回路と接続された第２コネクタと、を有し、
前記一対の突起の一方は、前記一対の光シャッターの一方に設けられた前記複数の凹部の１つと嵌合され、
前記一対の突起の他方は、前記一対の光シャッターの他方に設けられた前記複数の凹部の１つと嵌合され、
前記凹部が前記突起と嵌合したときに、前記第１コネクタと前記第２コネクタとが結合されて、前記一対の光シャッターと前記駆動回路とが互いに接続される、請求項５記載の立体映像視聴装置。
【発明の詳細な説明】
【技術分野】
【０００１】
本発明は、立体映像視聴装置に関し、より具体的には、立体映像を視聴するために眼鏡に装着する立体映像視聴装置に関する。
【背景技術】
【０００２】
３Ｄ眼鏡、あるいは３Ｄグラスと一般に呼ばれる立体映像視聴装置（以下、単に視聴装置という）には、アクティブ方式に対応したものと、パッシブ方式に対応したものとがある。【０００３】
アクティブ方式は、テレビ等の表示装置で、右目用の映像と左目用の映像とを交互に切り替えて表示するとともに、視聴装置側で、表示装置の映像の切り替えと同期して、左右のレンズ部に配置した液晶シャッター等を交互に開閉する方式である（特許文献１参照）。【０００４】
アクティブ方式は、表示装置には従来とほぼ同じ構造の表示装置を使用し、表示装置に表示させる映像データを立体映像用の映像データにするだけで、立体映像を視聴することができる。【０００５】
これに対して、パッシブ方式では、右目用の映像と左目用の映像を１ライン毎に表示装置に同時に表示し、その映像を、表示装置において、偏光フィルタで右目用と左目用とに振り分ける。そして、振り分けられた各映像を、専用眼鏡で右目と左目とにそれぞれ送り届ける。このため、パッシブ方式では、表示装置の正面近くで映像を視聴しないと、３Ｄ映像が正常に視聴できないとともに、右目用の映像と左目用の映像とを同時に１つの画面に表示しているので、解像度は低下する。よって、家庭のテレビで視聴する場合には、アクティブ方式の立体映像視聴システムの方が、ユーザにとっては好ましいといえる。【０００６】
しかしながら、アクティブ方式では、視聴装置が、液晶光シャッターや、その駆動用の電源を備える必要があり、視聴装置の重量及び嵩が、通常の眼鏡に比べて大きくなる。このため、視聴装置の装着感に不満を抱くユーザも多い。
【先行技術文献】
【特許文献】
【０００７】
【特許文献１】特開昭６２−２３１５７８号公報
【発明の概要】
【発明が解決しようとする課題】
【０００８】
したがって、アクティブ方式の立体映像視聴システムは、視聴装置を軽量化して、装着感を向上させることが望まれている。現状では、駆動用の電源に、小型軽量のコイン形電池（一次電池）を使用するものが主流である。そして、視聴装置をさらに軽量化するために、コイン形電池よりも薄型化の容易な、ラミネート電池を電源として使用することも検討されている。【０００９】
ところが、電池の軽量化は容量の低下に繋がる。視聴装置の十分な時間の連続的使用を可能とするためには、ある程度の電池容量を確保する必要がある。このため、視聴装置の電源には、ある程度の重量の電池を使用する必要がある。また、液晶光シャッターが、プラスチック製等の通常のレンズよりも重量が大きいこともあって、たとえ電池を軽量化したとしても、視聴装置全体の重量が通常の眼鏡よりも大きくなるのを避けることはできない。【００１０】
さらに別の問題として、コイン形電池やラミネート電池は、横の広がりの大きい形状であるために、これらの電池を視聴装置の電源に使用すると、ある程度の広い面積の収納部を視聴装置に設ける必要性が生じる。これにより、視聴装置のデザインは制約される。【００１１】
さらには、近視矯正用または遠視矯正用の通常の眼鏡の使用者は、３Ｄ映像を視聴するために、眼鏡状の視聴装置を、通常の眼鏡の上からさらに装着する必要がある。このため、視聴装置の装着感はさらに不良となる。【００１２】
そこで、本発明は、通常の眼鏡の使用者であっても、アクティブ・シャッター方式の立体映像視聴装置を良好な装着感で使用できるようにすることを目的としている。
【課題を解決するための手段】
【００１３】
本発明の一局面は、立体映像を視聴するように眼鏡に装着する立体映像視聴装置であって、
右目用及び左目用の一対の光シャッター、前記一対の光シャッターの駆動回路、前記一対の光シャッターの駆動用電源装置、前記一対の光シャッターをそれぞれの内側端部で支持するブリッジ、当該立体映像視聴装置を前記眼鏡に着脱自在に繋止する繋止部、並びに前記駆動回路及び前記電源装置を支持する支持部、を備え、
前記電源装置が、二次電池を含み、
前記繋止部及び前記支持部が、前記ブリッジと一体的に形成されており、
重心が、前記ブリッジに位置している、立体映像視聴装置に関する。【００１４】
本発明の他の局面は、前記二次電池の形状が円筒状または角筒状であって、その径または幅が２〜６ｍｍである、立体映像視聴装置に関する。ここで、角筒状とは、横断面が長円形である場合や、横断面が、一対の平行な直線部を有するとともに、横断面の両側部が半円形である場合を含む。また、ここでいう角筒状の二次電池の幅は、横断面の長径をいう。
【発明の効果】
【００１５】
本発明の立体映像視聴装置によれば、当該立体映像視聴装置を通常の眼鏡に繋止する繋止部を、光シャッターの駆動回路及び電源装置の支持部と一体的に設けたことで、従来の３Ｄ眼鏡あるいは３Ｄグラスからテンプル、モダン部及びノーズパッド等を取り除くことが可能となり、重量を低減することができる。これにより、通常の眼鏡の使用者であっても、良好な装着感で視聴装置を装着することが可能となる。さらに、光シャッターの駆動用電源装置に円筒状または角筒状の二次電池を使用することで、電池の配置の自由度が大きくなり、左右の重量バランスを最適化することが容易となる。よって、さらに装着感を向上させることができる。【００１６】
本発明の新規な特徴を添付の請求の範囲に記述するが、本発明は、構成及び内容の両方に関し、本発明の他の目的及び特徴と併せ、図面を照合した以下の詳細な説明によりさらによく理解されるであろう。
【図面の簡単な説明】
【００１７】
【図１】本発明の一実施形態に係る立体映像視聴装置の外観を示す斜視図である。
【図２】図１の視聴装置の機能ブロック図である。
【図３】二次電池の外観を示す斜視図である。
【図４】二次電池の一例の詳細を示す、一部を断面とした側面図である。
【図５】本発明の他の実施形態に係る立体映像視聴装置の正面図である。
【図６】図５の視聴装置を分解したときの正面図である。
【図７】突起の詳細を示す平面図である。
【図８】凹部の詳細を示す平面図である。
【発明を実施するための形態】
【００１８】
本発明は、立体映像を視聴するように眼鏡に装着する立体映像視聴装置に関する。この視聴装置は、右目用及び左目用の一対の光シャッター、一対の光シャッターの駆動回路、一対の光シャッターの駆動用電源装置、一対の光シャッターをそれぞれの内側端部で支持するブリッジ、当該立体映像視聴装置を眼鏡に着脱自在に繋止する繋止部、並びに駆動回路及び電源装置を支持する支持部、を備えている。なお、一対の光シャッターを一対のリムによりそれぞれ支持するとともに、一対の光シャッターを、リムを介してブリッジにより支持しても良い。
【００１９】
電源装置は、二次電池を含む。繋止部及び支持部は、ブリッジと一体的に形成されている。このとき、駆動回路、電源装置及び支持部は、視聴装置の重心が、ブリッジの重心を通り、かつ一対の光シャッターのそれぞれの重心を結ぶ線分に垂直な平面から１０ｍｍ以内に位置するように、配設するのが好ましい。
【００２０】
眼鏡状の立体映像視聴装置においては、右目用及び左目用の光シャッターには、液晶光シャッターを使用するのが、シャッターの開閉の速度及び静音性の点で好ましい。しかしながら、液晶光シャッターは、通常の眼鏡のプラスチック製のレンズ（軽いもので、１枚が４〜７ｇ）よりも重量は大きい（例えば、１枚が６〜１５ｇ）。
【００２１】
眼鏡状の立体映像視聴装置は、そのように重量の大きい光シャッターや、その駆動用の電源装置を備える必要があるために、重量は、通常の眼鏡よりもかなり大きくなる。よって、装着感は悪化する。視聴装置の使用者が通常の眼鏡を掛けている場合には、その眼鏡の上から、眼鏡状の視聴装置を重ねて装着することが必要となるために、装着感はさらに悪化する。
【００２２】
そこで、本発明は、視聴装置を通常の眼鏡に取り付けるための繋止部を視聴装置に備えさせることで、視聴装置をユーザに装着させるためのテンプル、モダン部、及びノーズパッド等を不要としている。その結果、視聴装置の重量を小さくすることができる。さらに、テンプルやノーズパッドがついた視聴装置を通常の眼鏡と重ね掛けする必要がなくなるので、通常の眼鏡の使用者にとって、視聴装置の装着感が顕著に向上する。
【００２３】
さらに、視聴装置の重心がほぼ中央に位置するように、駆動回路、電源装置及び支持部を配置することで、視聴装置の左右の重量がバランスし、装着感が一層良好となる。
【００２４】
ここで、二次電池は形状を円筒状または角筒状とし、その径または幅を２〜６ｍｍとするのが好ましい。二次電池の径または幅を６ｍｍ以下とすることにより、視聴装置に嵩の大きい収容部を設ける必要性が無くなる。その結果、デザインを犠牲にすることなく、二次電池の配置を自由に設定することが可能となる。よって、左右の重量バランスを最適化する二次電池の配置が容易となる。一方、二次電池の径を２ｍｍ以上とすることにより、径がそれよりも小さい二次電池を製造する場合と比較すると、製造が格段に容易となる。よって、製造コストの上昇を抑えることができる。また、十分な電池容量を確保することも容易となる。円筒状ないしは角筒状の電池は、一般に金属缶のケースを具備する。また、内部の圧力上昇に強い形状であるため、小容積でも多くの材料を収容できる。さらに、外力に対する耐性も高いために、テンプルやモダン部のように屈曲しやすい部位に内蔵させるのに適している。
【００２５】
さらに、電源装置に、従来のアクティブ方式の３Ｄ眼鏡では主流であった一次電池に代えて二次電池を使用することで、電池を交換する必要性が小さくなる。このため、ユーザによる取り外しを予定しない態様で二次電池を支持部により固定してしまうことができる。これにより、電池を着脱自在に支持部に支持させるための機構（例えば留め金の付いた蓋）を視聴装置に設ける必要性がなくなり、支持部が簡素化される。さらに、二次電池であれば、電源装置に一次電池を使用する場合よりも電池を軽量化し、電池容量を小さくしても、充電をするだけで使用を継続できるので、一次電池を使用する場合よりも軽量化が容易となる。よって、装着感を向上させることができる。
【００２６】
本発明の一形態に係る立体映像視聴装置においては、一対の光シャッターを、ブリッジに対して着脱可能にする着脱機構を備えている。これにより、ユーザは、光シャッターを、自分の眼鏡と形状及びサイズが適合するものに自由に取り替えることができ、より快適に３Ｄ映像を視聴することができる。
【００２７】
本発明の他の形態に係る立体映像視聴装置においては、上記着脱機構が、ブリッジへの、一対の光シャッターの取り付け位置を上下方向において可変にするように構成されている。
【００２８】
これにより、様々な形状の通常の眼鏡に対して、視聴装置の光シャッターと眼鏡のレンズとが良好に重なるように、光シャッターの上下位置を調節することが可能となる。よって、より快適に３Ｄ映像を視聴することが可能となる。
【００２９】
本発明のさらに他の形態に係る立体映像視聴装置においては、着脱機構は、一対の光シャッターのそれぞれの内側端部に設けられた突起と、ブリッジに設けられ、前記突起と嵌合及び離脱が可能なように形成された一対の凹部と、前記突起に設けられ、一対の光シャッターと接続された第１コネクタと、前記凹部に設けられ、駆動回路と接続された第２コネクタと、を有する。そして、前記突起が前記凹部と嵌合したときに、第１コネクタと第２コネクタとが結合されて、一対の光シャッターと駆動回路とが互いに接続される。
【００３０】
本発明のさらに他の形態に係る立体映像視聴装置においては、着脱機構は、一対の光シャッターのそれぞれの内側端部に設けられた凹部と、ブリッジに設けられ、前記凹部と嵌合及び離脱が可能なように形成された一対の突起と、前記凹部に設けられ、一対の光シャッターと接続された第１コネクタと、前記突起に設けられ、前記駆動回路と接続された第２コネクタと、を有する。そして、前記凹部が前記突起と嵌合したときに、第１コネクタと第２コネクタとが結合されて、一対の光シャッターと駆動回路とが互いに接続される。
【００３１】
本発明のさらに他の形態に係る立体映像視聴装置においては、着脱機構は、一対の光シャッターのそれぞれの内側端部に設けられた、上下方向の位置が互いに異なる、同一形状の複数の突起と、ブリッジに設けられ、前記突起と嵌合及び離脱が可能なように形成された一対の凹部と、前記複数の突起のそれぞれに設けられ、一対の光シャッターとそれぞれ接続された第１コネクタと、前記凹部に設けられ、駆動回路と接続された第２コネクタと、を有する。
【００３２】
前記一対の凹部の一方は、一対の光シャッターの一方に設けられた前記複数の突起の１つと嵌合され、前記一対の凹部の他方は、一対の光シャッターの他方に設けられた前記複数の突起の１つと嵌合される。前記突起が前記凹部と嵌合したときに、第１コネクタと第２コネクタとが結合されて、一対の光シャッターと駆動回路とが互いに接続される。
【００３３】
同様に、本発明のさらに他の形態に係る立体映像視聴装置においては、着脱機構は、一対の光シャッターのそれぞれの内側端部に設けられた、上下方向の位置が互いに異なる、同一形状の複数の凹部と、ブリッジに設けられ、凹部と嵌合及び離脱が可能なように形成された一対の突起と、複数の凹部のそれぞれに設けられ、一対の光シャッターとそれぞれ接続された第１コネクタと、突起に設けられ、駆動回路と接続された第２コネクタと、を有する。
【００３４】
一対の突起の一方は、一対の光シャッターの一方に設けられた複数の凹部の１つと嵌合され、一対の突起の他方は、一対の光シャッターの他方に設けられた複数の凹部の１つと嵌合される。凹部が突起と嵌合したときに、第１コネクタと第２コネクタとが結合されて、一対の光シャッターと駆動回路とが互いに接続される。
【００３５】
これにより、着脱機構を備えた視聴装置において、一対の光シャッターと、電源装置及び前記駆動回路とを接続するためのコネクタを、着脱機構と独立に設ける必要がなくなり、デザイン性を容易に向上させることができるとともに、光シャッターの交換及び位置調整が容易となる。
【００３６】
以下、本発明の実施形態を、図面を参照して説明する。
図１に、本発明の実施形態１に係る立体映像視聴装置を斜視図により示す。図２に、立体映像視聴装置の機能ブロック図を示す。
立体映像視聴装置（以下、視聴装置という）１０は、アクティブ・シャッター方式の立体映像視聴システムに対応した、通常の眼鏡に装着するための視聴装置である。
【００３７】
アクティブ・シャッター方式の立体映像視聴システムは、３Ｄテレビ等の表示装置で、右目用の映像と左目用の映像とを交互に高速で切り替えて表示するとともに、視聴装置１０で、表示装置の映像の切り替えと同期して、光シャッターを交互に開閉することにより、立体映像を視聴するシステムである。
【００３８】
視聴装置１０は、右目用及び左目用の光シャッター１２の図示しない電極に駆動回路１４が接続され、駆動回路１４に、光シャッター１２の駆動用の電源装置１６が接続されている。電源装置１６は、二次電池２８と、二次電池２８の充電及び放電を制御する充放電回路３０を含む。駆動回路１４には、充放電回路３０が接続されている。充放電回路３０は二次電池２８と接続されるとともに、商用電源等の外部電源３２と接続可能に構成されている。
【００３９】
各光シャッター１２は、一対のリム１８によりそれぞれ保持されている。一対のリム１８は、内側の端部で、ブリッジ２０により支持されている。ブリッジ２０には、視聴装置１０を通常の眼鏡に留めるための一対のクリップ２２が一体的に形成されている。
【００４０】
各クリップ２２は、ブリッジ２０に対して固定された固定部材２４と、図示しない付勢手段（例えばつるまきバネ、板バネ）により固定部材２４に向けて付勢された可動部材２６とを含んでいる。付勢手段の付勢力により各クリップ２２の固定部材２４と可動部材２６とで通常の眼鏡のレンズをそれぞれ挟みつけることで、視聴装置１０が通常の眼鏡に繋止される。
【００４１】
ブリッジ２０及び一対のリム１８の上方には、ブリッジ２０と一体的に形成された、支持部３４が配設されている。支持部３４は、駆動回路１４及び電源装置１６を、ブリッジ２０に固定するように支持している。
【００４２】
図示しない表示装置（３Ｄテレビ等）からは、光シャッター１２の開閉のタイミングを示す同期信号が送信されており、ブリッジ２０には、その同期信号を受信するための、図示しない受信部が設けられている。受信部で受信された同期信号は、駆動回路１４に送られる。
【００４３】
光シャッター１２には、液晶光シャッターを使用するのが、動作速度、及び静音性の観点から好ましい。液晶光シャッターは、電圧を印加すると透明になり、印加電圧が除去されると不透明となるように動作する。
【００４４】
図３に、二次電池の外観を斜視図により示す。二次電池２８は、外径または幅Ｄが２〜６ｍｍ、長さＬが１５〜３５ｍｍの細長い形状であるのが好ましい。また、二次電池２８には、非水電解質二次電池、特にリチウムイオン二次電池を使用するのが、エネルギー密度が高い点で好ましい。二次電池２８の容量は、例えば、１０〜１００ｍＡｈとすることができる。なお、二次電池２８には、図示のような円筒形状のものに限られず、角筒形状等の様々な形状の二次電池を使用することができる。円筒状ないしは角筒状の電池は、一般に金属缶のケースを具備する。また、角筒状という用語は、電池分野でいう角形電池に対応する形状であり、筒部が、少なくとも一対の平行な平面状部を有していればよい。扁平薄型で側部が丸みを帯びている形状も角筒状に含まれる。また、角筒状の二次電池の幅は、大小の幅がある場合には大きい方の幅をいう。
【００４５】
ここで、二次電池２８の外径または幅Ｄを２ｍｍ以上とすることで、外径Ｄがこれよりも小さい場合と比べて、二次電池２８の作製が非常に容易となり、製造コストが低減される。また、二次電池２８の十分な容量を確保することも可能となる。一方、二次電池２８の外径Ｄを６ｍｍ以下とするのは、外径Ｄがこれよりも大きい場合と比べて、それが目立たないように配置することが容易となり、デザイン性を損ないにくいからである。
【００４６】
このように、二次電池２８を、上述したサイズ及び形状とすることで、デザインを犠牲にすることなく、視聴装置１０の左右の重量バランスを最適化するように、二次電池２８の配置を設定することが可能となる。よって、視聴装置１０の装着感を向上させることができる。
【００４７】
このとき、支持部３４、駆動回路１４及び電源装置１６を１つの合同体と考えて、この合同体の重心がブリッジ２０の中央ないしは重心と一致するように、ないしは、合同体の重心が、ブリッジ２０の中央を通り、かつ左右の光シャッターの重心を結ぶ線分に垂直な平面内に位置するように（以下、このような場合をも含めて、「重心がブリッジの中央に位置する」と表現する）、駆動回路１４及び電源装置１６の各部材を配置する。これにより、視聴装置１０の重心を、上記平面から１０ｍｍ以内に位置させることができる。その結果、視聴装置１０の装着感が向上する。
【００４８】
例としては、二次電池２８の重心がブリッジ２０の中央に位置し、駆動回路１４の重心がブリッジ２０の中央に位置し、充放電回路３０の重心がブリッジ２０の中央に位置するように、各部材を配置する。これにより、上記合同体の重心をブリッジ２０の中央と一致させることができる。
【００４９】
しかしながら、上の例では、中央に全ての部材が集中しており、その部分の嵩が大きくなる可能性がある。これを避けるために、各部材を左右に分配することが考えられる。例えば、二次電池２８をブリッジ２０の右側（視聴装置１０を装着したユーザから見て右側。以下、同じ）に配置すれば、充放電回路３０及び駆動回路１４をブリッジ２０の左側に配置する。このとき、比較的重量の大きい二次電池２８は、ブリッジ２０の近傍に配置する。一方、充放電回路３０及び駆動回路１４はブリッジ２０から少し離れた位置に配置する。このようにして、上記合同体の重心をブリッジ２０の中央と一致させることができる。
【００５０】
次に、二次電池２８をリチウムイオン二次電池から構成する場合の一例を説明する。
図４に示すように、二次電池２８は、有底円筒形の電池ケース５１、電池ケース５１内に収容された捲回型電極群５２、および電池ケース５１を封止する絶縁ガスケット６１を備えている。電池ケース５１の外側面は絶縁カバー５４で覆われている。
電極群５２は、導電性を有する巻芯５５と、負極５６と、正極５７と、負極５６と正極５７との間を隔離するセパレータ５８とを備えている。この電極群５２には、非水電解質が接触している。
【００５１】
電極群５２の最外周には、正極５７が配され、電池ケース５１の内側面と電気的に接触する。電池ケース５１の底面および側面は、外部に露出し、外部正極端子として用いられる。
巻芯５５の一端５９は、電池ケースの外部に露出され、負極端子として用いられる。巻芯５５の一端は、絶縁ガスケット６１の孔に圧入されている。巻芯５５の他端には、電池ケース５１と短絡しないように、絶縁キャップ６０が取付けられている。
【００５２】
負極５６の一端部は、巻芯５５に溶接されている。これにより、負極５６は、巻芯５５と、電気的に接続されている。
負極５６は、帯状の負極集電体、および負極集電体の両面に形成された負極活物質層を有する。負極５６の総厚みは、３５〜１５０μｍが好ましい。
負極５６の一端部に、集電体２１の両面において負極活物質層が形成されず負極集電体が露出する部分が形成されている。この部分が、巻芯５５に溶接されている。
負極集電体には、使用される負極活物質の充放電時の電位範囲において化学変化を起こさない材質が用いられる。
【００５３】
負極活物質としては、黒鉛などの炭素材料、珪素酸化物、及び珪素を含む合金等を用いることができる。ただし、小型電池にて高容量化するためには、負極活物質層の容量密度は、１０００ｍＡｈ／ｃｍ3以上であるのが好ましい。なお、この容量密度は、負極活物質層１ｃｍ3あたりの容量（可逆容量）（ｍＡｈ）を指す。
蒸着法にて負極集電体の表面に容量密度の高い珪素を含む薄膜を形成する場合、容量密度が１２００〜１３００ｍＡｈ／ｃｍ3程度の高い負極活物質が得られる。小型電池でも、高エネルギー密度化により、高容量を有する電池が得られる。
【００５４】
容量密度が高いため、負極活物質は、珪素、珪素を含む合金、珪素酸化物が好ましく、特に珪素酸化物が好ましい。珪素を含む合金、珪素酸化物は、充放電の際の膨張収縮が比較的大きいが、電池が小型化するほど、膨張収縮の絶対値が小さくなるため、その影響が小さくなり、小型電池に対して好適に用いられる。
【００５５】
珪素酸化物は、ＳｉＯx（０＜ｘ＜２）が好ましい。ｘが小さいほど活物質の容量が大きくなるが、充放電時の活物質の膨張収縮による体積変化が大きくなる。また、ｘが大きいほど充放電時の活物質の膨張収縮による体積変化が小さくなるが、不可逆容量が大きくなる。本発明の小型電池では、活物質の体積変化による影響が比較的小さい。よって、小型電池での活物質の体積変化および可逆容量の観点から、０＜ｘ≦１．１が好ましい。
【００５６】
珪素を含む合金は、珪素と、鉄、コバルト、ニッケル、銅、およびチタンからなる群より選ばれる少なくとも１種の元素との合金が好ましい。
【００５７】
巻芯５５は、負極５６に電気的に接続されるため、使用される負極活物質の充放電時の電位範囲において化学変化を起こさない材質を用いればよい。具体的には、巻芯５５としては、ステンレス鋼（ＳＵＳ）、銅、銅合金、アルミニウム、鉄、ニッケル、パラジウム、金、銀、白金が用いられる。これらを単独で用いてもよく、２種以上を組み合わせて用いてもよい。
【００５８】
巻芯５５は、負極集電体と、材質が同じであるのが好ましい。巻芯５５は負極５６との溶接に適した形状であればよい。巻芯５５は、棒状であるのが好ましい。棒状の巻芯５５は、長手方向に沿って平坦部を有するのが好ましい。平端部で電極と面接触させることができる。
【００５９】
正極５７は、電極群の最外周部において、正極集電体の内周側の面には、正極活物質層が形成され、正極集電体の外周側の面には、正極活物質層が形成されない片面塗工部（正極集電体が露出する部分Ｂ）が設けられている。正極集電体が露出する部分Ｂの表面が、電池ケースの内面に密着している。このようにして、正極５７は、電池ケース５１と電気的に接触している。
正極集電体には、帯状の金属箔が用いられ、好ましくは、アルミニウム箔またはアルミニウム合金箔である。
【００６０】
電池の小型化および正極容量の観点から、正極活物質層（片面あたりの厚み）は、厚み３０〜１００μｍが好ましい。
正極活物質層は、正極活物質を含み、さらに必要に応じて、正極導電剤および正極結着剤を含んでもよい。
【００６１】
正極活物質は、リチウムイオン二次電池で使用可能な材料であればよく、特に限定されない。正極活物質としては、例えば、コバルト酸リチウム（ＬｉＣｏＯ2）、ニッケル酸リチウム（ＬｉＮｉＯ2）、およびマンガン酸リチウム（ＬｉＭｎ2Ｏ4）のようなリチウム含有遷移金属酸化物を用いることができる。
【００６２】
電池の小型化および高エネルギー密度化の観点から、正極活物質には、一般式：ＬｉxＮｉyＭ1-yＯ2（式中、Ｍは、Ｎａ、Ｍｇ、Ｓｃ、Ｙ、Ｍｎ、Ｆｅ、Ｃｏ、Ｃｕ、Ｚｎ、Ａｌ、Ｃｒ、Ｐｂ、ＳｂおよびＢからなる群より選ばれる少なくとも一種であり、０＜ｘ≦１．２、０．５＜ｙ≦１．０）で表されるリチウム含有複合酸化物を用いるのが好ましい。
【００６３】
また、電池の小型化および高エネルギー密度化の観点から、正極活物質には、一般式：ＬｉxＮｉyＣｏzＭ1-y-zＯ2（式中、Ｍは、Ｍｇ、Ｂａ、Ａｌ、Ｔｉ、Ｓｒ、Ｃａ、Ｖ、Ｆｅ、Ｃｕ、Ｂｉ、Ｙ、Ｚｒ、Ｍｏ、Ｔｃ、Ｒｕ、Ｔａ、およびＷからなる群より選ばれる少なくとも一種であり、０．９≦ｘ≦１．２、０．３≦ｙ≦０．９、０．０５≦ｚ≦０．５、０．０１≦１−ｙ−ｚ≦０．３）で表されるリチウム含有複合酸化物を用いるのが好ましい。
【００６４】
以下に、二次電池２８を作製する作製方法の一例を説明する。
【００６５】
電池構成部材である絶縁ガスケット６１、巻芯５５、負極５６、正極５７、セパレータ５８、電池ケース５１を１００℃の真空下で放置し、各部品を乾燥させる。その後、露点−５０℃以下の雰囲気下で、以下のように電池を作製する。
【００６６】
巻芯５５には、例えばステンレス鋼製の丸棒（直径１ｍｍ）を使用する。負極５６における負極集電体が露出する部分と、巻芯５５とを、重ね合わせ、針状の第１の抵抗溶接電極と、平板状の第２の抵抗溶接電極とを、負極５６と巻芯５５とを介して互いに対向させる。第１の抵抗溶接電極を負極５６の表面に接触させ、第２の抵抗溶接電極を集電体に接触させ、第１および第２の抵抗溶接電極間に電流を印加し、巻芯５５の軸方向Ｘに沿った複数の箇所で、負極５６と集電体とを、抵抗溶接により接合する。
【００６７】
その後、負極５６を、セパレータ５８および正極５７とともに、集電体の周りに巻き付け、図４に示す捲回型電極群５２を形成する。負極５６、正極５７およびセパレータ５８を巻き付けた後には、その最外周に、ポリプロピレン製の粘着テープを貼り付け、電極群が緩まないように固定してもよい。さらに、巻芯５５の一端５９は、絶縁ガスケット６１を貫通させ、他端には、絶縁キャップ６０を取り付ける。
【００６８】
プラスチック製の容器内に、電極群５２を静置した後、容器内に電解液を入れ、電解液中に電極群５２を浸漬する。その後、減圧下で電極群５２に電解液を含浸させる。
【００６９】
電解液を含む電極群５２を、容器から取り出し、これを有底円筒形のアルミニウム製の電池ケース（外径４ｍｍ、高さ２０ｍｍ）内へ挿入し、電池ケース５１の開口に絶縁ガスケット６１を配し、電池ケース５１の開口端を、絶縁ガスケット６１の上部にかしめつけて、電池ケース５１を封止する。このようにして、例えば公称容量が１８ｍＡｈである小型のリチウムイオン二次電池（直径４ｍｍ、高さ２０ｍｍ）を得ることができる。二次電池の外観、寸法、及び構造は、以上説明したものに限られず、上述の範囲（外径Ｄ：２〜６ｍｍ、長さＬ：例えば１５〜３５ｍｍ）の細長い形状の二次電池であればよい。
【００７０】
次に、本発明の実施形態２を説明する。
（実施形態２）
図５に、本発明の実施形態２に係る立体映像視聴装置を正面図で示す。図６に、その視聴装置を分解した様子を正面図で示す。
【００７１】
視聴装置１０Ａは、左右一対の光シャッター１２Ａをブリッジ２０Ａに対して、着脱可能にする着脱機構を備えている。さらに、視聴装置１０Ａは、その着脱機構が、各光シャッター１２Ａの、ブリッジ２０Ａへの取り付け位置を、上下方向において可変とするように構成されている。
【００７２】
着脱機構は、ブリッジ側の凹部または突起と、光シャッター側の突起または凹部とから構成することができる。図示例では、ブリッジ２０Ａの左側及び右側に前面に開放した一対の凹部３６を設ける一方で、光シャッター１２Ａの内側端部の裏面に、それぞれ、凹部３６と嵌合する複数の突起３８を設けている。複数の突起３８は、各光シャッター１２Ａの上下方向に所定の間隔で並んでいる。
【００７３】
この構成により、ユーザは、自分の眼鏡の大きさに適合するサイズの光シャッター１２Ａを選択してブリッジ２０Ａに取り付けることで、３Ｄ映像をより快適に視聴することができる。さらに、ブリッジ側の凹部３６と嵌合させる光シャッター側の突起３８を上下に変えることで、眼鏡のレンズと、視聴装置１０Ａの光シャッター１２Ａとがより良く重なるように、光シャッター１２Ａの上下方向の位置を調節することができる。なお、突起３８を一対だけ各光シャッター１２Ａの内側端部に設ければ、光シャッター１２Ａの取替だけが可能となる。
【００７４】
ここで、図７及び図８に示すように、凹部３６及び突起３８には、凹部３６と突起３８とを嵌合させたときに互いに結合されるコネクタ４０及び４２を設けることができる。凹部側（ブリッジ側）のコネクタ４０は、駆動回路１４と接続されており、突起側（光シャッター側）のコネクタ４２は光シャッター１２Ａの図示しない電極と接続されている。これにより、凹部３６と突起３８とを嵌合させることによって、駆動回路１４と光シャッター１２Ａとが接続される。
【００７５】
以上の構成により、通常の眼鏡の使用者が３Ｄ映像をより快適に視聴することが可能となる。
【産業上の利用可能性】
【００７６】
本発明の立体映像視聴装置は、通常の眼鏡の使用者が３Ｄ映像を視聴するのをより快適にするので、映画館での長時間の３Ｄ映像の視聴や、３Ｄテレビによる、小さな子供を含めた家庭での３Ｄ映像の視聴に有用である。【００７７】
本発明を現時点での好ましい実施態様に関して説明したが、そのような開示を限定的に解釈してはならない。種々の変形及び改変は、上記開示を読むことによって本発明に属する技術分野における当業者には間違いなく明らかになるであろう。したがって、添付の請求の範囲は、本発明の真の精神及び範囲から逸脱することなく、すべての変形及び改変を包含する、と解釈されるべきものである。
【符号の説明】
【００７８】
１０、１０Ａ  立体映像視聴装置、
１２、１２Ａ  光シャッター、
１４  駆動回路、
１６  電源装置、
２２  クリップ、
２８  二次電池、
３０  充放電回路、
３４  支持部、
３６  凹部、
３８  突起、
４０、４２  コネクタ
【図１】
2012020537.tif 000003
【図２】
2012020537.tif 000004
【図３】
2012020537.tif 000005
【図４】
2012020537.tif 000006
【図５】
2012020537.tif 000007
【図６】
2012020537.tif 000008
【図７】
2012020537.tif 000009
【図８】
2012020537.tif 000010
【国際調査報告】
2012020537.tif 000011
2012020537.tif 000012
2012020537.tif 000013